(57)【要約】【課題】属性情報が必要な場合に自動的に表示可能である。【解決手段】属性情報表示システム１は、外部のコード情報を読み取る読取手段２０と、コード情報に対応付けられた属性情報を記憶する記憶手段３３と、コード情報を記憶手段３３へ送信する通信手段２２と、読み取られたコード情報に対応付けられる属性情報を記憶手段３３から読み出す読出手段３４と、読み出された属性情報を表示するとともに可視光を透過する表示手段２１と、表示指示情報の有無に基づいて属性情報を表示するかどうかを制御する制御手段３５とを有する。【選択図】図１
2005284721.tif 000002
【特許請求の範囲】
【請求項１】
外部のコード情報を読み取る読取手段と、
コード情報に対応付けられた属性情報を記憶する記憶手段と、
コード情報を前記記憶手段へ送信する通信手段と、
読み取られた前記コード情報に対応付けられる属性情報を前記記憶手段から読み出す読出手段と、
読み出された属性情報を表示するとともに可視光を透過する表示手段と、
表示指示情報の有無に基づいて属性情報を表示するかどうかを制御する制御手段とを有することを特徴とする属性情報表示システム。
【請求項２】
前記表示手段は、読み出された属性情報をホログラフィック表示することを特徴とする請求項１に記載の属性情報表示システム。
【請求項３】
個人を特定する情報を読み取る読取手段または個人を特定する情報を入力する入力手段と、
個人を特定する情報に対応付けられた個人属性情報や個人確認情報を記憶する記憶手段と、
個人を特定する情報を前記記憶手段へ送信する通信手段と、
読み取られた個人を特定する情報に対応付けられる個人属性情報や個人確認情報を読み出す読出手段と、
読み出された個人属性情報や個人確認情報を表示するとともに可視光を透過する表示手段と、
表示指示情報の有無に基づいて個人属性情報や個人確認情報を表示するかどうかを制御する制御手段とを有することを特徴とする情報確認システム。
【請求項４】
前記表示手段は、読み出された個人属性情報や個人確認情報をホログラフィック表示することを特徴とする請求項３に記載の情報確認システム。
【請求項５】
前記個人を特定する情報が、個別に割り付けられたＩＤ情報であることを特徴とする請求項３に記載の情報確認システム。
【請求項６】
前記個人を特定する情報が、記録媒体に記憶されたＩＤ情報であることを特徴とする請求項３に記載の情報確認システム。
【請求項７】
個人を特定する情報が、本人から入手された生体情報であることを特徴とする請求項３に記載の情報確認システム。
【請求項８】
本体に対応付けられた情報を記憶手段に記憶する記憶工程と、  対応付けられた情報を読出手段により読み出す読出工程と、
読み出された情報を表示手段によりホログラフィック表示する表示工程とを有する情報確認方法であって、
ホログラフィック表示画像と、本体に付属された映像とを重ねて観察することにより、本体の真偽を真偽判定手段により判定する真偽判定工程を有することを特徴とする情報確認方法。
【請求項９】
外部のコード情報を読み取る読取工程と、
コード情報に対応付けられた属性情報を記憶手段に記憶する記憶工程と、
コード情報を前記記憶手段へ送信する通信工程と、
読み取られたコード情報に対応付けられる属性情報を前記記憶手段から読み出す読出工程と、
読み出された属性情報を表示するとともに可視光を透過する表示工程と、
表示指示情報の有無に基づいて属性情報を表示するかどうかを制御する制御工程とを有することを特徴とする属性情報表示方法。
【請求項１０】
個人を特定する情報を読み取る読取工程または個人を特定する情報を入力する入力工程と、
個人を特定する情報に対応付けられた個人属性情報や個人確認情報を前記記憶手段に記憶する記憶工程と、
個人を特定する情報を前記記憶手段へ送信する通信工程と、
読み取られた個人を特定する情報に対応付けられる個人属性情報や個人確認情報を前記記憶手段から読み出す読出工程と、
表示指示情報の有無に基づいて個人属性情報や個人確認情報を表示するかどうかを制御する制御工程と、
読み出された個人属性情報や個人確認情報を表示するとともに可視光を透過する表示工程を有することを特徴とする情報確認方法。
【発明の詳細な説明】
【技術分野】
【０００１】
この発明は、属性情報表示システム、情報確認システム、属性情報表示方法及び情報確認方法に関する。
【背景技術】
【０００２】
従来、属性情報を表示し、あるいは情報確認を行なうものとして、例えばＴＶ画面に表示された二次元バーコードをカメラ付き携帯で読み取り、ＵＲＬを携帯に表示し、サイトにアクセス可能にするものがある。また、ＴＶ番組への応募、商品購入を可能とするものがあるが、必要時に、二次元バーコードの読み取り操作が必要であり、また属性情報は本体と同時表示されない。
【０００３】
また、特開２００１−３０５４７６号公報には、日常生活のあらゆる場面で、映像観察を可能とすることの記載はあるが、認証、コード対応情報表示などの記載はない。また、特開２００２−２８７０７９号公報には、マクスウェル視で低視力者の読書を補助することが記載され、特開２００３−２５６７８６号公報にはホログラフィック画像表示カードと認証を行なうことが記載されるが、端末で表示、あるいは一体表示の記載はない。
【特許文献１】特開２００１−３０５４７６号公報（第１頁〜第７頁、図１〜図６）
【特許文献２】特開２００２−２８７０７９号公報（第１頁〜第５頁、図１〜図２）
【特許文献３】特開２００３−２５６７８６号公報（第１頁〜第５１頁、図１〜図３６）
【発明の開示】
【発明が解決しようとする課題】
【０００４】
ところで、本人、あるいは本体の確認時には、本人、本体の属性情報はその都度、データ入手工程が必要である。または、常時表示して常時監視する必要がある。
【０００５】
この発明は、かかる点に鑑みてなされたもので、属性情報が必要な場合に自動的に表示可能である属性情報表示システム、情報確認システム、属性情報表示方法及び情報確認方法を提供することを目的としている。
【課題を解決するための手段】
【０００６】
前記課題を解決し、かつ目的を達成するために、この発明は、以下のように構成した。
【０００７】
請求項１に記載の発明は、外部のコード情報を読み取る読取手段と、
コード情報に対応付けられた属性情報を記憶する記憶手段と、
コード情報を前記記憶手段へ送信する通信手段と、
読み取られた前記コード情報に対応付けられる属性情報を前記記憶手段から読み出す読出手段と、
読み出された属性情報を表示するとともに可視光を透過する表示手段と、
表示指示情報の有無に基づいて属性情報を表示するかどうかを制御する制御手段とを有することを特徴とする属性情報表示システムである。
【０００８】
請求項２に記載の発明は、前記表示手段は、読み出された属性情報をホログラフィック表示することを特徴とする請求項１に記載の属性情報表示システムである。
【０００９】
請求項３に記載の発明は、個人を特定する情報を読み取る読取手段または個人を特定する情報を入力する入力手段と、
個人を特定する情報に対応付けられた個人属性情報や個人確認情報を記憶する記憶手段と、
個人を特定する情報を前記記憶手段へ送信する通信手段と、
読み取られた個人を特定する情報に対応付けられる個人属性情報や個人確認情報を前記記憶手段から読み出す読出手段と、
読み出された個人属性情報や個人確認情報を表示するとともに可視光を透過する表示手段と、
表示指示情報の有無に基づいて個人属性情報や個人確認情報を表示するかどうかを制御する制御手段とを有することを特徴とする情報確認システムである。
【００１０】
請求項４に記載の発明は、前記表示手段は、読み出された個人属性情報や個人確認情報をホログラフィック表示することを特徴とする請求項３に記載の情報確認システムである。
【００１１】
請求項５に記載の発明は、前記個人を特定する情報が、個別に割り付けられたＩＤ情報であることを特徴とする請求項３に記載の情報確認システムである。
【００１２】
請求項６に記載の発明は、前記個人を特定する情報が、記録媒体に記憶されたＩＤ情報であることを特徴とする請求項３に記載の情報確認システムである。
【００１３】
請求項７に記載の発明は、個人を特定する情報が、本人から入手された生体情報であることを特徴とする請求項３に記載の情報確認システムである。
【００１４】
請求項８に記載の発明は、本体に対応付けられた情報を記憶手段に記憶する記憶工程と、
対応付けられた情報を読出手段により読み出す読出工程と、
読み出された情報を表示手段によりホログラフィック表示する表示工程とを有する情報確認方法であって、
ホログラフィック表示画像と、本体に付属された映像とを重ねて観察することにより、本体の真偽を真偽判定手段により判定する真偽判定工程を有することを特徴とする情報確認方法である。
【００１５】
請求項９に記載の発明は、外部のコード情報を読み取る読取工程と、
コード情報に対応付けられた属性情報を記憶手段に記憶する記憶工程と、
コード情報を前記記憶手段へ送信する通信工程と、
読み取られたコード情報に対応付けられる属性情報を前記記憶手段から読み出す読出工程と、
読み出された属性情報を表示するとともに可視光を透過する表示工程と、
表示指示情報の有無に基づいて属性情報を表示するかどうかを制御する制御工程とを有することを特徴とする属性情報表示方法である。
【００１６】
請求項１０に記載の発明は、個人を特定する情報を読み取る読取工程または個人を特定する情報を入力する入力工程と、
個人を特定する情報に対応付けられた個人属性情報や個人確認情報を前記記憶手段に記憶する記憶工程と、
個人を特定する情報を前記記憶手段へ送信する通信工程と、
読み取られた個人を特定する情報に対応付けられる個人属性情報や個人確認情報を前記記憶手段から読み出す読出工程と、
表示指示情報の有無に基づいて個人属性情報や個人確認情報を表示するかどうかを制御する制御工程と、
読み出された個人属性情報や個人確認情報を表示するとともに可視光を透過する表示工程を有することを特徴とする情報確認方法である。
【発明の効果】
【００１７】
前記構成により、この発明は、以下のような効果を有する。
【００１８】
請求項１に記載の発明によれば、外部のコード情報を読み取り、読み取られたコード情報に対応付けられる属性情報を読み出し、表示指示情報の有無に基づいて属性情報を表示するかどうかを制御し、読み出された属性情報を表示するとともに可視光を透過し、属性情報が必要な場合に自動的に表示可能であり、特定の必要情報が必要時に自動的に表示され、情報入手操作が不要である。また、情報入手された時に表示されるので、常時表示される場合と比べ、注意喚起され易い。
【００１９】
また、表示手段の少なくとも一部に読み出された属性情報を表示しかつ、表示手段が可視光が少なくともその一部を透過することができる表示体であり、表示体を通して他の映像も観察でき、属性情報を本体、本人と即時に同時表示されるので、迅速、正確な確認が可能である。また、認証時にも即時確認が可能で、対象者に精神的負担をかけない。
【００２０】
請求項２に記載の発明によれば、読み出された属性情報をホログラフィック表示し、表示部が兼用で小型である。
【００２１】
請求項３に記載の発明によれば、個人を特定する情報を読み取り、読み取られた個人を特定する情報に対応付けられる個人属性情報や個人確認情報を読み出し、表示指示情報の有無に基づいて個人属性情報や個人確認情報を表示するかどうかを制御し、読み出された個人属性情報や個人確認情報を表示するとともに可視光を透過し、個人属性情報や個人確認情報が必要な場合に自動的に表示可能であり、特定の必要情報が必要時に自動的に表示され、情報入手操作が不要である。また、情報入手された時に表示されるので、常時表示される場合と比べ、注意喚起され易い。
【００２２】
また、表示手段の少なくとも一部に読み出された個人属性情報や個人確認情報を表示しかつ、表示手段が可視光が少なくともその一部を透過することができる表示体であり、表示体を通して他の映像も観察でき、個人属性情報や個人確認情報を本体、本人と即時に同時表示されるので、迅速、正確な確認が可能である。また、認証時にも即時確認が可能で、対象者に精神的負担をかけない。
【００２３】
請求項４に記載の発明によれば、読み出された個人属性情報や個人確認情報をホログラフィック表示し、表示部が兼用で小型である。
【００２４】
請求項５に記載の発明によれば、個人を特定する情報が、個別に割り付けられたＩＤ情報であり、迅速、正確な確認が可能である。
【００２５】
請求項６に記載の発明によれば、個人を特定する情報が、記録媒体に記憶されたＩＤ情報であり、迅速、正確な確認が可能である。
【００２６】
請求項７に記載の発明によれば、個人を特定する情報が、本人から入手された生体情報であり、迅速、正確な確認が可能である。
【００２７】
請求項８に記載の発明によれば、本体に対応付けられた情報を記憶し、対応付けられた情報を読み出し、読み出された情報をホログラフィック表示し、ホログラフィック表示画像と、本体に付属された映像とを重ねて観察することにより、本体の真偽を判定することで、情報を本体と即時に同時表示されるので、迅速、正確な確認が可能である。また、表示部兼用で小型である。認証時にも即時確認が可能で、対象者に精神的負担をかけない。迅速で、精度が良く、また本人のすり替わりを防止しやすい。
【００２８】
請求項９に記載の発明によれば、外部のコード情報を読み取り、読み取られたコード情報に対応付けられる属性情報を読み出し、表示指示情報の有無に基づいて属性情報を表示するかどうかを制御し、読み出された属性情報を表示するとともに可視光を透過し、属性情報が必要な場合に自動的に表示可能であり、特定の必要情報が必要時に自動的に表示され、情報入手操作が不要である。また、情報入手された時に表示されるので、常時表示される場合と比べ、注意喚起され易い。
【００２９】
請求項１０に記載の発明によれば、個人を特定する情報を読み取り、読み取られた個人を特定する情報に対応付けられる個人属性情報や個人確認情報を読み出し、表示指示情報の有無に基づいて個人属性情報や個人確認情報を表示するかどうかを制御し、読み出された個人属性情報や個人確認情報を表示するとともに可視光を透過し、個人属性情報や個人確認情報が必要な場合に自動的に表示可能であり、特定の必要情報が必要時に自動的に表示され、情報入手操作が不要である。また、情報入手された時に表示されるので、常時表示される場合と比べ、注意喚起され易い。
【００３０】
なお、請求項１乃至請求項１０の発明において、属性情報を表示するかどうかを制御する制御手段は、必要な時間帯のみ機能させるスイッチを設けても良い。このスイッチが入っている場合は自動表示させることで、常にスイッチが入っている場合のようなわずらわしさがなくなる。
【発明を実施するための最良の形態】
【００３１】
以下、この発明の属性情報表示システム、情報確認システム、属性情報表示方法及び情報確認方法の実施の形態について説明するが、この発明は、この実施の形態に限定されない。また、この発明の実施の形態は、発明の最も好ましい形態を示すものであり、この発明の用語はこれに限定されない。
【００３２】
第１の実施の形態
この発明の属性情報表示システム及び属性情報表示方法の実施の形態について説明する。図１は属性情報表示システムの構成図である。この実施の形態では、属性情報表示システム１が、表示器２、ホストコンピュータ３とを備え、製品情報（農産物生産時期、賞味期限、絵画作成者照会）を表示器２に表示する。
【００３３】
表示器２は眼鏡で構成され、読取手段２０、表示手段２１、通信手段２２を有する。読取手段２０は、例えばＣＣＤカメラ等の撮像手段で構成され、外部のコード情報を読み取る。通信手段２２は、コード情報をホストコンピュータ３へ送信する。また、表示手段２１は、読み出された属性情報を表示するとともに可視光を透過する。この表示手段２１は、少なくとも一部に読み出された属性情報を表示しかつ、表示手段２１が可視光の少なくとも一部を透過することができる表示体であり、表示体を通して他の映像も観察できるように構成される。
【００３４】
ホストコンピュータ３は、受信手段３０、送信手段３１、送信データ生成手段３２、記憶手段３３、読出手段３４及び制御手段３５を有する。記憶手段３３は、ホストサーバで構成され、コード情報に対応付けられた属性情報を予め記憶する。読出手段３４は、受信手段３０から受信する読み取られたコード情報に対応付けられる属性情報を記憶手段３３から読み出す。制御手段３５は、コード情報から表示指示情報の有無に基づいて属性情報を表示するかどうかを制御し、表示する場合は送信データ生成手段３２で送信データを生成し、送信手段３１により送信し、表示器２の通信手段２２で受信して表示手段２１に表示する。
【００３５】
図２は属性情報表示方法の説明図である。
［読取工程］
表示器２の読取手段２０により観察物本体４に付されたバーコード５を撮像して外部のコード情報を読み取る。
［記憶工程］
コード情報に対応付けられた属性情報を予め記憶手段３３に記憶する。
［通信工程］
表示器２の通信手段２２によりコード情報をホストコンピュータ３の記憶手段３３へ送信する。
［制御工程］
ホストコンピュータ３の受信手段３０が表示器２の通信手段２２によりコード情報を受信し、制御手段３５は、コード情報から表示指示情報の有無に基づいて属性情報を表示するかどうかを判断し制御する。この表示指示情報の有無に基づいて属性情報を表示するかどうかの制御は、表示器２側で行なってもよい。
［読出工程］
表示指示情報の有無に基づいて属性情報を表示する場合は、読出手段３４が読み取られたコード情報に対応付けられる属性情報を検索して記憶手段３３から読み出す。この読み出した属性情報から送信データ生成手段３２で送信データを生成し、送信手段３１により表示器２へ送信する。
［表示工程］
表示器２の通信手段２２が読み出された属性情報を受信し、この情報を表示手段２１に表示する。
【００３６】
図３は属性情報表示システムの表示を示す図である。
【００３７】
この実施の形態の表示手段２１は、読み出された属性情報をホログラフィック表示２１ａし、表示部が兼用で小型である。
【００３８】
このように、外部のコード情報を読み取り、読み取られたコード情報に対応付けられる属性情報を読み出し、表示指示情報の有無に基づいて属性情報を表示するかどうかを制御し、読み出された属性情報を表示するとともに可視光を透過し、属性情報が必要な場合に自動的に表示可能であり、特定の必要情報が必要時に自動的に表示され、情報入手操作が不要である。また、情報入手された時に表示されるので、常時表示される場合と比べ、注意喚起され易い。
【００３９】
また、表示手段２１の少なくとも一部に読み出された属性情報を表示しかつ、表示手段２１が可視光の少なくとも一部を透過することができる表示体であり、表示体を通して他の映像も観察でき、属性情報を本体、本人と即時に同時表示されるので、迅速、正確な確認が可能である。また、認証時にも即時確認が可能で、対象者に精神的負担をかけない。
［実施例１］
農産物生産時期を表示する実施例１を、図４及び図５に示す。図４は農産物生産時期を表示するフローチャート、図５は表示状態を示す図である。
【００４０】
ステップａ１において、表示器２で観察物本体（大根）４を見ると共に、大根１本１００円と二次元のバーコード５の読み取りを行ない、コード情報を送信する（ステップａ２）。ホストコンピュータ３では登録農産物であるか否かにより表示可否の判断を行なう（ステップａ３）。登録農産物である場合には、コード情報に対応付けられる属性情報である生産者情報、生産日情報を読み出し（ステップａ４）、表示器２へ送信する。表示器２で受信すると、表示手段２１にホログラフィック表示２１ａする。
［実施例２］
時報を自動表示する実施例１を、図６及び図７に示す。図６は表示状態を示す図である。自動車６０には、表示器２とホストコンピュータ３が備えられ、表示器２はフロントガラス６１に表示手段２１が設けられている。フロントガラス６１は透過型表示になっている。
【００４１】
図７は時報を自動表示するフローチャートである。
【００４２】
ステップｂ１において、ユーザーがホストコンピュータ３に表示時間登録を行ない、表示時刻を指定する。読取手段２０で電波時計７から電波時計信号で登録時間コード情報を得ると（ステップｂ２）、ホストコンピュータ３で登録時間コード情報に対応付けられた属性情報の時間、コメント「予約時間」読み出し、表示情報生成し（ステップｃ３）、フロントガラス６１の表示器２へ送信し（ステップｃ４）、電波時計の特定時刻情情報の時間、コメント「予約時間」をホログラフィック表示２１ａする。
［実施例３］
高速道路の渋滞情報表示は、実施例２と同様に構成され、交通管理センタからの渋滞情報が発信される。特定情報であること（管理センタの特定周波数電波や管理センタコード）を検知すると、情報を読み取り、フロントガラスや速度計カバーガラスに透過型で表示する。
【００４３】
第２の実施の形態
次に、この発明の情報確認システム及び情報確認方法の実施の形態について説明する。図８は情報確認システムの構成図である。この実施の形態では、情報確認システム１０１が、表示器１０２、撮像部１０４、ホストコンピュータ１０３とを備え、空港、通関等に設置される。
【００４４】
表示器１０２は眼鏡で構成され、表示手段１２１、通信手段１２２を有する。表示手段１２１は、読み出された個人属性情報や個人確認情報を表示するとともに可視光を透過する。この表示手段１２１は、少なくとも一部に読み出された個人属性情報や個人確認情報を表示しかつ、表示手段１２１が可視光の少なくとも一部を透過することができる表示体であり、表示体を通して他の映像も観察できるように構成される。この実施の形態では、入国可否などの個人属性情報や氏名などの個人確認情報が表示され、表示手段１２１にホログラフィック表示１２１ａする。
【００４５】
撮像部１０４には、顔撮像手段１４０、顔特徴量抽出手段１４１及び通信手段１４２が備えられている。この顔特徴量抽出手段１４１は、ホストコンピュータ１０３に備えてもよい。撮像部１０４は、個人を特定する情報を読み取る読取手段を構成しており、この実施の形態では個人を特定する情報が、本人から入手された顔特徴の生体情報である。通信手段１４２は、個人を特定する情報である生体情報をホストコンピュータ１０３へ送信する。
【００４６】
ホストコンピュータ１０３は、受信手段１３０、送信手段１３１、送信データ生成手段１３２、記憶手段１３３、読出手段１３４及び制御手段１３５を有する。記憶手段１３３は、ホストサーバで構成され、個人を特定する情報に対応付けられた個人属性情報や個人確認情報を予め記憶する。読出手段１３４は、受信手段１３０から受信する読み取られた個人を特定する情報に対応付けられる個人属性情報や個人確認情報を記憶手段１３３から読み出す。
【００４７】
制御手段１３５は、個人を特定する情報から表示指示情報の有無に基づいて個人属性情報や個人確認情報を表示するかどうかを制御し、表示する場合は送信データ生成手段１３２で送信データを生成し、送信手段１３１により送信し、表示器１０２の通信手段１２２で受信して表示手段２１に表示する。
【００４８】
制御手段１３５は、例えば国際手配版の顔特徴と一致するかどうかで個人情報を表示するかどうかを制御し、撮像部１０４にあっても良く、この場合は分散処理型である。
【００４９】
次に、情報確認方法を説明する。
［読取工程または入力工程］
撮像部１０４により個人を特定する情報を読み取る。
［記憶工程］
個人を特定する情報に対応付けられた個人属性情報や個人確認情報を予め記憶手段１３３に記憶する。
［通信工程］
撮像部１０４の通信手段１４２により個人を特定する情報をホストコンピュータ１０３の記憶手段１３３へ送信する。
［制御工程］
ホストコンピュータ１０３の受信手段１３０が撮像部１０４または入力手段１０５により個人を特定する情報を受信し、制御手段１３５は、個人を特定する情報から表示指示情報の有無に基づいて属性情報を表示するかどうかを制御する。この表示指示情報の有無に基づいて個人属性情報や個人確認情報を表示するかどうかの制御は、撮像部１０４側で行なってもよい。
［読出工程］
表示指示情報の有無に基づいて個人属性情報や個人確認情報を表示する場合は、読出手段１３４が読み取られた個人を特定する情報に対応付けられる個人属性情報や個人確認情報を検索して記憶手段１３３から読み出す。この読み出した個人属性情報や個人確認情報から送信データ生成手段１３２で送信データを生成し、送信手段１３１により表示器１０２へ送信する。
［表示工程］
表示器１０２の通信手段１２２が読み出された個人属性情報や個人確認情報を受信し、この個人属性情報や個人確認情報を表示手段１２１に表示する。
【００５０】
この空港、通関等に設置される実施例を、図９に示す。図９は空港、通関で渡航者の顔を表示するフローチャートである。
【００５１】
ステップｃ１において、撮像部１０４では撮像画像の中から顔パターンを抽出し、顔特徴量を算出し（ステップｃ２）、ホストコンピュータ１０３へ送信する（ステップｃ３）。ホストコンピュータ１０３では、登録された顔特徴と一致するか否かの判断を行ない（ステップｃ４）、一致する場合は個人属性情報や個人確認情報を検索して読み出し（ステップｃ５）、表示器１０２へ送信する（ステップｃ６）。表示器１０２で受信すると、表示手段１２１にホログラフィック表示１２１ａする（ステップｃ７）。
【００５２】
この実施の形態では、空港、通関等で、撮像部１０４のＣＣＤカメラで顔撮像で顔パターンが撮像された場合に、顔特徴を自動送信し、ホストコンピュータ１０３の記憶手段１３３であるホストサーバから、顔特徴に対応付けられた個人属性情報や個人確認情報であるフーリガン情報の有無を、表示器１０２によって眼鏡表示できる。
【００５３】
このように、個人を特定する情報を読み取り、読み取られた個人を特定する情報に対応付けられる個人属性情報や個人確認情報を読み出し、表示指示情報の有無に基づいて個人属性情報や個人確認情報を表示するかどうかを制御し、読み出された個人属性情報や個人確認情報を表示するとともに可視光を透過し、個人属性情報や個人確認情報が必要な場合に自動的に表示可能であり、特定の必要情報が必要時に自動的に表示され、情報入手操作が不要である。また、情報入手された時に表示されるので、常時表示される場合と比べ、注意喚起され易い。
【００５４】
第３の実施の形態
次に、この発明の情報確認システム及び情報確認方法の実施の形態について説明する。図１０は情報確認システムの構成図である。この実施の形態では、情報確認システム２０１が、表示器２０２、金銭自動預け支払い機２０５、ホストコンピュータ２０３とを備え、金融機関等に設置される。
【００５５】
表示器２０２は眼鏡で構成され、表示手段２２１、通信手段２２２を有する。表示手段２２１は、読み出された個人属性情報や個人確認情報を表示するとともに可視光を透過する。この表示手段２２１は、少なくとも一部に読み出された個人属性情報や個人確認情報を表示しかつ、表示手段２２１が可視光が少なくともその一部を透過することができる表示体であり、表示体を通して他の映像も観察できるように構成される。この実施の形態では、入店可否、取扱可否などの個人属性情報や氏名などの個人確認情報が表示され、表示手段２２１にホログラフィック表示２２１ａする。
【００５６】
金銭自動預け支払い機２０５は、ＩＣコード入力部２０６ａ、ＩＣカードスタッカ２０６ｂ等の入力手段２０６、通信手段２４２を有する。キャッシュカード２０７をＩＣカードスタッカ２０６ｂにセットし、ＩＣコード入力部２０６ａでＩＤコードを入力して金銭の自動預け支払いができる。
【００５７】
この入力手段２０６は、キャッシュカード２０７から個人を特定する情報を読み取る読取手段を構成しており、この実施の形態では個人を特定する情報が、個別に割り付けられたＩＤ情報であり、またキャッシュカード２０７の記録媒体に記憶されたＩＤ情報である。
【００５８】
通信手段２４２は、個人を特定する情報であるＩＤ情報をホストコンピュータ２０３へ送信する。
【００５９】
ホストコンピュータ２０３は、受信手段２３０、送信手段２３１、送信データ生成手段２３２、記憶手段２３３、読出手段２３４及び制御手段２３５を有する。記憶手段２３３は、ホストサーバで構成され、個人を特定する情報に対応付けられた個人属性情報や個人確認情報を予め記憶する。読出手段２３４は、受信手段２３０から受信する読み取られた個人を特定する情報に対応付けられる個人属性情報や個人確認情報を記憶手段２３３から読み出す。
【００６０】
制御手段２３５は、個人を特定する情報から表示指示情報の有無に基づいて個人属性情報や個人確認情報を表示するかどうかを制御し、表示する場合は送信データ生成手段２３２で送信データを生成し、送信手段２３１により送信し、表示器２０２の通信手段２２２で受信して表示手段２２１に表示する。
【００６１】
制御手段２３５は、例えば個人の預金引き出し額が規制を超えている場合に個人情報を表示することを制御する。
【００６２】
第４の実施の形態
次に、この発明の情報確認方法の実施の形態を、図１１及び図１２に基づいて説明する。図１１は情報確認方法のフローチャート、図１２は真偽判定を説明する図である。
［記憶工程］
記憶工程では、入場券３１０を購入すると、この購入時に購入者の顔画像を撮像して顔特徴を抽出し（ステップｄ１）、特定模様の特定マーク３１０ａを券面に表示する。この入場券３１０の特定マーク３１０ａと顔特徴を対応付けて記憶手段３００に記憶する。補助表示画像を作成し登録したうえ、特定マークで対応付ける（ステップｄ１）。
［読出工程］
読出工程では、入場時に入場者の顔を撮像し（ステップｄ３）、顔特徴を抽出し（ステップｄ４）、ホストコンピュータの記憶手段へ送信する（ステップｄ５）。ホストコンピュータでは、登録された顔特徴データがあるか否かを判断し（ステップｄ６）、顔特徴データある場合には、対応付けられた補助表示画像を読み取り送信する（ステップｄ７）。このように、本体に対応付けられた情報を読出手段３０１により読み出す。
［表示工程］
表示工程で、読み出された情報を表示手段３０２によりホログラフィック表示する（ステップｄ８）。
［真偽判定工程］
真偽判定工程では、真偽判定手段３０３により表示手段３０２に表示されたホログラフィック表示画像３２０と、本体に付属された特定マーク３１０ａの映像３１０ａ１とを重ねて観察することにより、本体の真偽を判定する（ステップｄ９）。
【００６３】
この実施の形態では、ホログラフィック表示画像３２０と特定マーク３１０ａには、それぞれ重ね位置マーク３２０ａ，３１０ｂがあり、正確に重ねることができるようになっている。重ねた映像により真偽判定を表示する映像３３０が見られるようになる。
【００６４】
この実施の形態では、入場券３１０の購入時に購入者の顔特徴データと対応付けて特定模様を券面表示し、入場時に撮像カメラで入場者の顔を撮像し、特徴量を算出する。そして、ホストコンピュータの記憶手段から対応する参照模様を読み取り、送信し、表示手段に表示し、券面模様と表示模様を重ねて表示することで、正規入場券の場合、画像重ねにより特定模様が観察される。
【００６５】
このように、本体に対応付けられた情報を記憶し、対応付けられた情報を読み出し、読み出された情報をホログラフィック表示し、ホログラフィック表示画像と、本体に付属された映像とを重ねて観察することにより、本体の真偽を判定することで、情報を本体と即時に同時表示されるので、迅速、正確な確認が可能である。また、表示部兼用で小型である。認証時にも即時確認が可能で、対象者に精神的負担をかけない。迅速で、精度が良く、また本人のすり替わりを防止しやすい。
【産業上の利用可能性】
【００６６】
この発明は、外部のコード情報を読み取り、読み取られたコード情報に対応付けられる属性情報を記憶手段から読み出し、読み出された属性情報を表示するとともに可視光を透過する属性情報表示システムに適用できる。
【図面の簡単な説明】
【００６７】
【図１】属性情報表示システムの構成図である。
【図２】属性情報表示方法の説明図である。
【図３】属性情報表示システムの表示を示す図である。
【図４】農産物生産時期を表示するフローチャートである。
【図５】表示状態を示す図である。
【図６】表示状態を示す図である。
【図７】時報を自動表示するフローチャートである。
【図８】情報確認システムの構成図である。
【図９】空港、通関で渡航者の顔を表示するフローチャートである。
【図１０】情報確認システムの構成図である。
【図１１】情報確認方法のフローチャートである。
【図１２】真偽判定を説明する図である。
【符号の説明】
【００６８】
１  属性情報表示システム
２  表示器
３  ホストコンピュータ
２０  読取手段
２１  表示手段
２２  通信手段
３０  受信手段
３１  送信手段
３２  送信データ生成手段
３３  記憶手段
３４  読出手段
３５  制御手段
【図１】
2005284721.tif 000003
【図２】
2005284721.tif 000004
【図３】
2005284721.tif 000005
【図４】
2005284721.tif 000006
【図５】
2005284721.tif 000007
【図６】
2005284721.tif 000008
【図７】
2005284721.tif 000009
【図８】
2005284721.tif 000010
【図９】
2005284721.tif 000011
【図１０】
2005284721.tif 000012
【図１１】
2005284721.tif 000013
【図１２】
2005284721.tif 000014